(57)【特許請求の範囲】
【請求項１】
クラウン部と、
フェース部と、
少なくとも１つの開口を有するソール部と、
前記ソール部の開口に取り付けられる、少なくとも１つのウエイト部材と、
を備え、
前記クラウン部、フェース部、及びソール部により囲まれる内部空間を有し、
前記ウエイト部材は、
前記ソール部の開口に取り付けられるウエイト本体と、
前記ウエイト本体に着脱自在に取り付けられる、少なくとも１つの調整ウエイトと、
を備え、
前記ウエイト本体は、前記内部空間側へ突出するように形成されており、
前記調整ウエイトは、前記ウエイト本体の前記内部空間側の端部に着脱自在に取り付けられることで、前記ウエイト部材の前記内部空間側への突出長さを長くするように構成され、
前記ウエイト部材は、前記ウエイト本体に前記調整ウエイトが取り付けられた状態で、前記ソール部に着脱可能に構成されている、ゴルフクラブヘッド。
【請求項２】
前記ウエイト本体は、前記ソール部の開口に固定される大径部と、前記調整ウエイトが取り付けられる小径部と、を備えている、請求項１に記載のゴルフクラブヘッド。
【請求項３】
前記調整ウエイトは、前記ウエイト本体に対してネジ止めにより固定される、請求項１または２に記載のゴルフクラブヘッド。
【請求項４】
前記ウエイト本体は、前記ソール部の開口に対してネジ止めにより固定される、請求項１から３のいずれかに記載のゴルフクラブヘッド。
【請求項５】
前記ウエイト本体は、円筒状に形成されている、請求項１から４のいずれかに記載のゴルフクラブヘッド。
【発明の詳細な説明】
【技術分野】
【０００１】
本発明は、ゴルフクラブヘッドに関する。
【背景技術】
【０００２】
特許文献１では、ソール部に凹部を形成し、この凹部にウエイトを着脱自在に取り付けることができるゴルフクラブヘッドが提案されている。このゴルフクラブヘッドは、ウエイトを取り付けることにより、ヘッドの重量や重心を変更することができる。
【先行技術文献】
【特許文献】
【０００３】
【特許文献１】特開２０１４−７９３８８号公報
【発明の概要】
【発明が解決しようとする課題】
【０００４】
しかしながら、上記のようなゴルフクラブは、ウエイトの取付位置が固定されているため、ウエイトの重量を変更することしかできず、ヘッドの重心の変更の自由度が低かった。そのため、ユーザの嗜好に応じて、ヘッドの重心を変更することができる自由度の高いゴルフクラブヘッドが要望されていた。本発明は、上記問題を解決するためになされたものであり、重心の変更の自由度が高いゴルフクラブヘッドを提供することを目的とする。
【課題を解決するための手段】
【０００５】
本発明に係るゴルフクラブヘッドは、クラウン部と、フェース部と、開口を有するソール部と、前記ソール部の開口に取り付けられる、少なくとも１つのウエイト部材と、を備え、前記クラウン部、フェース部、及びソール部により囲まれる内部空間を有し、前記ウエイト部材は、ソール部の開口に取り付けられるウエイト本体と、前記ウエイト本体に着脱自在に取り付けられる、少なくとも１つの調整ウエイトと、を備えている。
【０００６】
上記ゴルフクラブヘッドにおいて、前記ウエイト本体は、前記内部空間側へ突出するように形成することかでき、前記調整ウエイトは、前記ウエイト本体の前記内部空間側の端部に着脱自在に取り付けることができる。
【０００７】
上記ゴルフクラブヘッドにおいて、前記ウエイト本体は、前記内部空間側へ突出するように形成されるとともに、前記開口側から前記内部空間側へ延びる収容空間を備えることができ、前記調整ウエイトは、前記収容空間において、前記開口側と前記内部空間側との間を移動可能に構成することができる。
【０００８】
上記ゴルフクラブヘッドにおいて、前記ウエイト本体の収容空間は、外部へ開放するように形成することができ、前記調整ウエイトは、外部より工具によって、前記ウエイト本体内で移動可能に構成することができる。
【０００９】
上記ゴルフクラブヘッドにおいて、前記調整ウエイトは、前記ウエイト本体に対し回転可能に取り付けられるとともに、当該回転の中心からずれた位置に重心を有するように構成することかできる。
【００１０】
上記ゴルフクラブヘッドにおいて、前記ウエイト本体は、前記内部空間側へ突出するように形成されるとともに、前記開口側から外部へ開放される収容空間を備えることができ、前記調整ウエイトは、前記収容空間を介して、外部より工具によって、回転可能に構成することができる。
【発明の効果】
【００１１】
本発明に係るゴルフクラブヘッドによれば、重心の変更の自由度を高くすることができる。特に、本発明に係るウエイト部材は、ウエイト本体と、これに取り付けられる調整ウエイトを備えているため、調整ウエイトの重量を変更したり、あるいはウエイト本体に対する調整ウエイトの位置を変更することで、ヘッドの重心を種々の位置に変更することができる。
【図面の簡単な説明】
【００１２】
【図１】本発明に係るゴルフクラブヘッドの第１〜第３実施形態における基準状態の斜視図である。
【図２】図１の平面図である。
【図３】図１の底面図及び一部断面図である。
【図４】第１実施形態に係るウエイト部材の分解斜視図である。
【図５】図４のウエイト部材の組立図である。
【図６】第２実施形態に係るウエイト部材の斜視図である。
【図７】図６の断面図である。
【図８】工具の平面図である。
【図９】工具によりウエイト部材の調整を行う断面図である。
【図１０】第３実施形態に係るウエイト部材の分解斜視図である。
【図１１】図１０の組み立て図である。
【図１２】第３実施形態に係るウエイト部材の他の例を示す分解斜視図である。
【図１３】図１２の組み立て図である。
【発明を実施するための形態】
【００１３】
以下、本発明に係るゴルフクラブヘッドの第１〜第３実施形態について、図面を参照しつつ説明する。
【００１４】
＜１．ゴルフクラブヘッドの概要＞
本発明に係るゴルフクラブヘッドの第１〜第３実施形態では、重心を調整するウエイト部材の構成以外は、共通である。そこで、まず、ウエイト部材以外の構成について、図１〜図３を参照しつつ説明し、ウエイト部材については後述する。図１は第１〜第３実施形態に係るゴルフクラブヘッドの基準状態の斜視図、図２は図１の平面図、図３は図１の底面図及び貫通孔付近の一部断面図である。
【００１５】
図１に示すように、このゴルフクラブヘッド（以下、単に「ヘッド」ということがある）は、内部空間を有する中空構造であり、フェース部１、クラウン部２、ソール部３、サイド部４、及びホーゼル部５によって壁面が形成されている。
【００１６】
フェース部１は、ボールを打球する面であるフェース面を有しており、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００１７】
ここで、上述した基準状態について説明する。まず、図１及び図２に示すように、上記中心軸線Ｚが地面（水平面）に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトウ−ヒール方向と称し、このトウ−ヒール方向に対して垂直であり且つ地面に対して平行な方向をフェース−バック方向と称することとする。なお、本実施形態に係るゴルフクラブセットでは、一般的なゴルフクラブセットと同様に、クラブの番手が大きくなるほど、ロフト角が大きくなる。
【００１８】
図３に示すように、ソール部３には、内部空間Ｓに通じる貫通孔（開口）３１が形成されており、この貫通孔３１の内周面には雌ねじが形成されている。そして、この雌ねじに、ヘッドの重心を調整するためのウエイト部材が取り付けられている。ウエイト部材については、後述する。
【００１９】
本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部４を有さず、ソール部３がクラウン部２と直接連結されている場合には、ソール部３とクラウン部２との間の稜線が、両者の境界となる。また、明確な稜線が形成されていない場合には、ヘッドを基準状態に設置し、これをヘッドの重心の真上から見たときの輪郭が境界となる。
【００２０】
なお、ヘッド体積の上限は特に定めないが、実用上、例えば５００ｃｍ3以下が望ましく、またＲ＆ＡやＵＳＧＡのルール規制に従う場合には４７０ｃｍ3以下が望ましい。
【００２１】
また、ヘッドは、例えば、比重が４．４〜５．０程度のチタン合金（たとえばＴｉ−６Ａｌ−４Ｖ）で形成することができる。また、チタン合金以外にも、例えばステンレス鋼、マレージング鋼、アルミ合金、マグネシウム合金、またはアモルファス合金などの中から１種または２種以上を用いて形成することもできる。
【００２２】
なお、本実施形態に係るヘッドは、少なくともソール部３を有するヘッド本体と、他の部分を組み合わせることで構成される。例えば、フェース部１のみを別部材で構成してヘッド本体に取り付けることでヘッドを構成したり、あるいはクラウン部２やサイド部４に開口を設けたヘッド本体を形成し、この開口を別部材で塞ぐことでヘッドを構成することもできる。
【００２３】
＜２．ウエイト部材＞
以下、第１〜第３実施形態に係るウエイト部材について説明する。以下では、説明の便宜上、図面内の上下方向に基づき、説明を行うが、必ずしもこの方向が発明を限定するものではない。
【００２４】
＜２．１  第１実施形態＞
図４は本実施形態に係るウエイト部材の分解斜視図、図５は図４のウエイト部材の組立図である。図４及び図５に示すように、第１実施形態に係るウエイト部材６は、ソール部３の貫通孔３１に取り付けられるウエイト本体６１と、このウエイト本体６１に取り付けられる調整ウエイト６２と、を備えている、ウエイト本体６１は、円筒状の大径部６１１と、この大径部６１１の上面に同心状に連結される円筒状の小径部６１２とを備え、これらは一体的に形成されている。大径部６１１の外周面には、雄ねじが形成されており、この雄ねじがソール部３の貫通孔３１の雌ねじに螺合する。これにより、大径部６１１の下面は、ソール部３の表面と概ね一致する。また、大径部６１１の下面には、矩形状の操作孔６１３が形成されており、この操作孔６１３には、レンチなどの工具が挿入可能となっている。
【００２５】
小径部６１２は、大径部６１１の上面に連結されているため、ヘッドの内部空間Ｓに配置される。また、小径部６１２の上面には、雌ねじが形成された固定孔６１４が形成されている。
【００２６】
調整ウエイト６２は、小径部６１２の固定孔６１４に螺合される軸状の雄ねじ部６２１と、この雄ねじ部６２１と同心状に連結され、ウエイト本体６１の小径部６１２と概ね同径の操作部６２２とを備えている。操作部６２２の上面には、平面視矩形状の操作孔６２３が形成されており、この操作孔６２３にレンチなどの工具が挿入され、調整ウエイト６２をウエイト本体６１に対して回転するようになっている。
【００２７】
ウエイト本体６１及び調整ウエイト６２は、主として金属で形成することができるが、その他、樹脂で形成することもできる。例えば、金属の場合には、Ａｌ合金、Ｔｉ合金、Ｗ−Ｎｉなど、樹脂の場合には、ＰＵ、複合樹脂、ＰＯＭなどで形成することができる。なお、このような材料の種類については、以下の実施形態でも同じである。
【００２８】
上記のように構成されたウエイト部材６は、ウエイト本体６１のみで構成される第１の態様と、ウエイト本体６１と調整ウエイト６２とが組み合わさった第２の態様と、を選択的にとり得るようになっている。すなわち、第２の態様では、ウエイト部材６が軸方向に積層されるように構成される。
【００２９】
第１の態様を選択した場合には、ウエイト本体６１のみをソール部３の貫通孔３１に取り付ける。このとき、ウエイト本体６１の下面の操作孔１３に工具を差し込み、ウエイト本体６１を回転しながら、大径部６１１の雄ねじをソール部３の貫通孔３１の雌ねじにねじ込む。
【００３０】
第２態様を選択した場合には、まず、図５に示すように、ウエイト本体６１の上面に、調整ウエイト６２を取り付ける。すなわち、調整ウエイト６２の雄ねじ部６２１を、ウエイト本体６１の上面の固定孔６１４にねじ込み、両者を固定する。そして、調整ウエイト６２が取り付けられたウエイト本体６１を、ソール部３の貫通孔３１にねじ込み、両者を固定する。
【００３１】
以上のように、本実施形態によれば、ウエイト本体６１に対し、軸方向に調整ウエイト６２を連結することで、ウエイト部材６の重量及び重心の位置を変化させている。これにより、本実施形態に係るヘッドは、ウエイト部材６を第１の態様または第２の態様とすることで、ヘッドの重心位置をソール部３側からクラウン部２側に向かう高さ方向で調整することができる。
【００３２】
＜２．２  第２実施形態＞
次に、第２実施形態に係るウエイト部材について、図６及び図７を参照しつつ説明する。図６は本実施形態に係るウエイト部材の斜視図、図７は図６の断面図である。図６及び図７に示すように、このウエイト部材７は、ソール部３の貫通孔３１に取り付けられるウエイト本体７１と、このウエイト本体７１に取り付けられる調整ウエイト７２と、を備えている、ウエイト本体７１は、円筒状の大径部７１１と、この大径部７１１の上面に同心状に連結される円筒状の小径部７１２とを備え、これらは一体的に形成されている。大径部７１１の外周面には、雄ねじが形成されており、この雄ねじがソール部３の貫通孔３１の雌ねじに螺合する。これにより、大径部７１１の下面は、ソール部３の表面と概ね一致する。
【００３３】
一方、小径部７１２は、大径部７１１の上面に連結されているため、ヘッドの内部空間Ｓに配置される。また、このウエイト本体７１には、大径部７１１及び小径部７１２を貫通する円筒状に貫通孔（収容空間）７０が形成されており、この貫通孔７０の内周面には雌ねじが形成されている。そのため、ウエイト本体７１がソール部３の貫通孔３１に取り付けられたとき、ウエイト本体７１の貫通孔７０は、ソール部３の表面から外部に開放されている。また、貫通孔７０の下部開口の内周壁には、環状の凸部７１５が形成されており、開口を小さくしている。さらに、この貫通孔７０の上部開口、つまり小径部７１２の上部開口は、キャップ７３により閉じられている。
【００３４】
調整ウエイト７２は、円筒状に形成されており、外周面には、ウエイト本体７１の貫通孔７０の雌ねじに螺合する雄ねじが形成されている。また、調整ウエイト７２の下面には、平面視矩形状の操作孔７２１が形成されており、この操作孔７２１にレンチなどの工具が挿入され、調整ウエイト７２を回転するようになっている。
【００３５】
上記のように構成されたウエイト部材７は、ウエイト本体７１の貫通孔７０内に調整ウエイト７２が取り付けられた状態で使用される。すなわち、ウエイト本体７１は、調整ウエイト７２を収容し、キャップ７３が取り付けられた状態で、ソール部３の貫通孔３１に取り付けられる。そして、ウエイト本体７１内で、調整ウエイト７２の軸方向の位置を変更することで、ウエイト部材７の重心を変更するようになっている。調整ウエイト７２の位置を調整するには、上述したように、工具をウエイト本体７１の貫通孔７０の下側の開口に挿入し、調整ウエイト７２の操作孔７２１に嵌め込む。この状態で、工具により調整ウエイト７２を回転する。調整ウエイト７２は貫通孔７０の内壁面に螺合しているため、回転により、貫通孔７０内で軸方向に移動する。これにより、ヘッドの重心を変更することができる。
【００３６】
なお、調整ウエイト７２を回転させるための工具を次のように構成すれば、調整ウエイト７２の位置を容易に確認することができる。例えば、図８に示す工具９は、棒状の操作部９１と、この操作部９１の中央に連結された棒状の支持部９２と、でＴ字型に形成されている。そして、支持部９２には、目盛り９２１が付されており、例えば、図９に示すように、工具９をウエイト本体７１の下部開口から挿入し、支持部９２の先端を調整ウエイト７２の操作孔７２１に係合させたとき、ウエイト本体７１の下部開口付近の目盛り９２１を読み取ることにより、調整ウエイト７２がウエイト本体７１の下部開口からどの程度離れた位置に配置されるかを容易に確認することができる。その結果、ヘッドの重心位置を容易に確認することができる。
【００３７】
以上のように、本実施形態によれば、ウエイト本体７１に対して、軸方向に、調整ウエイト７２の位置を調整できるため、第１実施形態と同様の効果を得ることができる。特に、第２実施形態では、ウエイト本体７１を取り外すことなく、調整ウエイト７２の位置を変更できるため、ヘッドの重心位置の変更を容易に行うことができる。
【００３８】
＜２．３  第３実施形態＞
次に、第３実施形態に係るウエイト部材について、図１０及び図１１を参照しつつ説明する。図１０は本実施形態に係るウエイト部材の分解斜視図、図１１は図１０のウエイト部材の組立図である。同図に示すように、このウエイト部材８は、ソール部３の貫通孔３１に取り付けられるウエイト本体８１と、このウエイト本体８１に取り付けられる調整ウエイト８２と、を備えている。ウエイト本体８１は、第２実施形態のものと同じ構成であるため、詳しい説明は省略する。
【００３９】
調整ウエイト８２は、ウエイト本体８１の貫通孔（収容空間）８０に収容される円筒状の本体部８２１を備えている。この本体部８２１の外径はウエイト本体８１の貫通孔８０の内径とほぼ同じである。この本体部８２１の外周面に雄ねじが形成されており、本体部８２１は貫通孔８０内で軸回りに回転可能に支持される。また、本体部８２１の下面には、平面視矩形状の操作孔８２２が形成されており、この操作孔８２２にレンチなどの工具が挿入され、調整ウエイト８２を回転するようになっている。さらに、本体部８２１の外周面の上端部には、径方向外方へ突出する棒状の突出部８２３が形成されている。この突出部８２３は、ウエイト本体８１の小径部８１２の上端から径方向外方へ突出するような長さとなっている。
【００４０】
以上の構成により、調整ウエイト８２の本体部８２１は、ウエイト本体８１の大径部８１１の上部開口から挿入され、突出部８２３が大径部８１１の上部開口の周縁に係合することにより、大径部８１１の上部に保持される。そして、調整ウエイト８２の本体部８２１において、大径部８１１から上方にはみ出した部分には円筒状のキャップ８５が取り付けられており、調整ウエイト８２は、ウエイト本体８１の大径部８１１とキャップ８５とで形成される空間内に収容される。但し、キャップ８５の外周面には切り欠き部８５１が形成されており、この切り欠き部８５１から調整ウエイト８２の突出部８２３が外部へ突出している。
【００４１】
上記のように構成されたウエイト部材８は、図１１に示すように、ウエイト本体８１の貫通孔８０内に調整ウエイト８２が取り付けられた状態で使用される。すなわち、ウエイト本体８１は、調整ウエイト８２を収容し、キャップ８５が取り付けられた状態で、ソール部３の貫通孔３１に取り付けられる。そして、ウエイト本体８１内で、調整ウエイト８２を軸回りに回転させることで、重心の位置を変更するようになっている。調整ウエイト８２の位置を調整するには、上述したように、工具をウエイト本体８１の貫通孔８０の下側の開口に挿入し、調整ウエイト８２の操作孔８２２に嵌め込む。この状態で、工具により調整ウエイト８２を回転する。調整ウエイト８２を回転すると、突出部８２３の周方向の位置が変位するため、ヘッドの重心を変更することができる。このウエイト部材８では突出部８２３の周方向の位置を変位させることで、主としてヘッドの水平方向における重心位置を変化させている。そのため、ウエイト部材８を次のように構成することで、この重心位置を左右する突出部８２３の周方向の位置を視認できるようになる。つまり、ウエイト本体８１の小径部８１２の軸方向の長さを短くして、調整ウエイト８２の底面の指標を視認できるように構成してもよい。この指標は、例えば、突出部８２３の方向が認識できるようにマーカーなどの印によって形成することができる。またこれに限らず、調整ウエイト８２の本体部８２１の軸方向の長さを長くしてもよい。この場合、この本体部８２１をソール側に底のある筒状に形成してもよい。
【００４２】
以上のように、本実施形態によれば、調整ウエイト８２を回転させることで、ウエイト部材８の重心位置を軸回りに変化させることができる。すなわち、第１及び第２実施形態に係るウエイト部材６、７では、重心がソール部３とクラウン部２との間の高さ方向で変化するように構成されているが、第３実施形態では、ヘッドの重心位置をソール部３の表面と概ね平行な平面上で変化させることができる。また、第２実施形態と同様に、ウエイト本体８１を取り外すことなく、調整ウエイト８２を変位できるため、ヘッドの重心位置を容易に変更することができる。また、調整ウエイト８２の重量を変更することにより、ヘッドの重心高さおよびウエイト本体８１の軸周りの方向で重心位置を変更することができる。そのため、１つの調整機構によって、２つのパラメータ（重心高さと重心位置）を変更することができる。
【００４３】
なお、第１、第２及び第３実施形態に係るウエイト部材６、７、８では、ウエイト本体８１と調整ウエイト８２とをねじによって結合しているが、調整ウエイト８２がウエイト本体８１に対して回転可能でかつ、任意の周方向位置で固定できる限り、両者の結合方法は特に限定されない。例えば、ウエイト本体８１の小径部８１２の内周面に周方向にキー溝を形成し、さらにこのキー溝から上下方向に延びる凹溝を任意の位置（例えば、環状のキー溝を周方向に複数に分割する位置）に形成する。そして、調整ウエイト８２の本体部８２１の外周面にこのキー溝および凹溝に嵌合するキー部を形成するなどしてもよい。これにより、ウエイト本体８１に対して、調整ウエイト８２を回転させ、任意の位置で固定することができる。
【００４４】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００４５】
＜３．１＞
第１〜第３実施形態において、ウエイト本体６１、７１、８１の構成は特には限定されず、それぞれ調整ウエイト６２、７２、８２を取り付け可能で、且つソール部３の貫通孔３１に取り付けることができるのであれば、どのような形態でもよい。したがって、大径部及び小径部といった構成に限定されず、外径が一定の筒状であってもよい。また、ソール部３への取り付け方法も特には限定されず、着脱自在に固定できるのであれば、ねじ止め以外でもよい。
【００４６】
＜３．２＞
第１実施形態においては、ウエイト本体６１は調整ウエイト６２を取り付けることができるのであれば、どのような形態でもよく、ねじ止め以外でもよい。また、調整ウエイト６２を取付ける位置も、軸方向の端部以外でもよく、例えば、ウエイト本体６１の中間部に取付部を形成し、この取付部に調整ウエイト６２を着脱自在に取り付けてもよい。また、調整ウエイト６２は１個だけでなく、複数個を組み合わせてウエイト本体６１に取り付けてもよい。
【００４７】
＜３．３＞
第２実施形態においては、調整ウエイト７２がウエイト本体７１の軸方向に移動可能であれば、その構成は特には限定されない。例えば、調整ウエイト７２の外周面に軸方向に延びるキーを形成する一方、ウエイト本体７１の貫通孔７０の内周面にはキーに対応するキー溝を軸方向に形成する。これにより、調整ウエイト７２はウエイト本体７１の貫通孔７０内で軸方向に移動可能となる。但し、調整ウエイト７２の移動のための機構はこれに限定されない。また、キャップ７３は、ウエイト本体７１と別体で設ける以外に、ウエイト本体７１と一体的に設けてもよい。なお、キャップ７３は、ヘッドの内部空間Ｓからウエイト本体７１の貫通孔７０に異物が混入するのを防止するものであるが、必ずしも必要なものではない。また、キャップの有無については、第３実施形態についても同様である。
【００４８】
＜３．４＞
第３実施形態においては、調整ウエイト８２の重心を偏心させるために、突出部８２３を設けているが、これ以外の構成でもよい。例えば、図１２及び図１３に示すように、この調整ウエイト８３は、ウエイト本体８１の貫通孔８０に回転自在に配置される円筒状の本体部８３１を有している。そして、本体部８３１の上面には、斜め上方に延びる第１棒部材８３３と、第２棒部材８３４が取り付けられている。これら２つの棒部材８３３，８３４は、上方にいくにしたがって角度が広がるようにＶ字状に配置されている。そして、第１棒部材８３３の方が、第２棒部材８３４よりも長くなっている。これにより、調整ウエイト８３の重心は、本体部８３１の回転中心からずれた位置になる。よって、このような調整ウエイト８３を用いた場合でも、上記第２実施形態と同様に、重心位置をソール部３と概ね平行な面方向で変化させることができる。
【００４９】
＜３．５＞
上記各実施形態に係るウエイト部材は、複数あってもよい。すなわち、ソール部３に複数の貫通孔３１を形成し、上記各実施形態に係るウエイト部材６，７，８のいずれかを適宜選択して取り付けることもできる。また、ウエイト部材を取り付けるために、ソール部３に貫通孔３１を形成していたが、必ずしも貫通していなくてもよく、外部に開口していればよいため、凹部であってもよい。
【００５０】
＜３．６＞
上記実施形態では、ウッド型ゴルフクラブについて説明したが、本発明に係るゴルフクラブは、これに限定されない。例えば、いわゆるユーティリティ型及びハイブリッド型等を含む中空のヘッドを有するゴルフクラブであってもよい。
【符号の説明】
【００５１】
１        ：フェース部
２        ：クラウン部
３        ：ソール部
６        ：ウエイト部材
６１      ：ウエイト本体
６２      ：調整ウエイト
７        ：ウエイト部材
７１      ：ウエイト本体
７２      ：調整ウエイト
８        ：ウエイト部材
８１      ：ウエイト本体
８２、８３：調整ウエイト
８３      ：調整ウエイト
９        ：工具
Ｓ        ：内部空間
【図１】
0006430728.tif 000002
【図２】
0006430728.tif 000003
【図３】
0006430728.tif 000004
【図４】
0006430728.tif 000005
【図５】
0006430728.tif 000006
【図６】
0006430728.tif 000007
【図７】
0006430728.tif 000008
【図８】
0006430728.tif 000009
【図９】
0006430728.tif 000010
【図１０】
0006430728.tif 000011
【図１１】
0006430728.tif 000012
【図１２】
0006430728.tif 000013
【図１３】
0006430728.tif 000014